(57)【要約】      （修正有）【課題】持ち運びが自由で、測定準備が簡単なドア開閉速度測定装置用の反射板を提供する。【解決手段】自動開閉扉１ａ、１ｂの開閉方向に沿って水平に反射シールテープ２を貼着し、該反射シールテープに対向してオプトファイバーセンサ３を無接触で配置し、該オプトファイバーセンサに内蔵された投光素子からの光を反射シールテープに照射して該反射光を受光素子にて検出し信号として出力し、該信号をＰＣカード６を介してＣＳＶ形式でノートパソコン７に取り込み、該ＣＳＶのデータによりノートパソコン上で前記自動開閉扉の最高速度、最低速度を数値化して表示したり、自動開閉扉の開閉時間を数値化して表示するエレベータードア等自動開閉扉の開閉速度測定装置において、前記反射シールテープは白黒チャートで表示されたゼブラ模様の反射シールテープとなし、該反射シールテープは微細なガラスビーズが混合された反射板専用インクにて印刷されている。【選択図】図１
2007132666.tif 000002
【特許請求の範囲】
【請求項１】
自動開閉扉の開閉方向に沿って水平に反射シールテープを貼着し、該反射シールテープに対向してオプトファイバーセンサを無接触で配置し、該オプトファイバーセンサに内蔵された投光素子からの光を反射シールテープに照射して該反射光を受光素子にて検出し信号として出力し、該信号をセンサ入力部でパルス信号に変換してＰＣカードに入力し、該ＰＣカードを介してＣＳＶ形式でノートパソコンに取り込み、該ＣＳＶのデータによりノートパソコン上で前記自動開閉扉の最高速度、最低速度を数値化して表示したり、自動開閉扉の開閉時間を数値化して表示するエレベータードア等自動開閉扉の開閉速度測定装置において、
前記反射シールテープは白黒チャートで表示されたゼブラ模様の反射シールテープとなし、該反射シールテープは微細なガラスビーズが混合された反射板専用インクにて印刷されていること、
を特徴とするエレベータードア等自動開閉扉の開閉速度測定装置用反射板。
【請求項２】
前記反射シールテープ上に連続して表示される白黒のゼブラ模様のうち白側の反射部分を黒側の吸収部分に比較して幅細に形成したこと、
を特徴とする請求項１記載のエレベータードア等自動開閉扉の開閉速度測定装置用反射板。
【請求項３】
前記反射シールテープ上に連続して表示されるそれぞれの白側の反射部分と黒側の吸収部分の巾の比率が４：６に設定されて形成されていること、
を特徴とする請求項１または請求項２のいずれかに記載のエレベータードア等自動開閉扉の開閉速度測定装置用反射板。
【請求項４】
前記反射シールテープは可撓性を有する薄厚のプラスチック板等に印刷されおり、該反射シールテープは平面形状やアール面形状のドア外部側、またはドア内部側においてマグネットテープや粘着テープを介して前記ドアの移動方向に対して水平に貼着可能となし、また、該反射シールテープは任意に剥離可能に構成された測定基準マーカー用反射板としたこと、
を特徴とする請求項１乃至請求項３のいずれかに記載のエレベータードア等自動開閉扉の開閉速度測定装置用反射板。
【発明の詳細な説明】
【技術分野】
【０００１】
本発明は、エレベータードア等自動開閉扉の開閉速度測定装置用の反射板に関するものであり、特に本発明は、測定準備のセットが簡単なドア開閉速度測定装置用の反射板シールテープに関するものである。
【０００２】
而して、本発明の反射板シールテープを被測定用ドアに貼着することにより実現可能となった自動開閉扉の無接触センサによるの測定作業は、測定者にとって安全性の高い扉の外部側、または内部側を適宜選択して、測定作業の行えるエレベータードア等自動開閉扉の開閉速度測定装置を提供可能とするものである。
【０００３】
また、本発明は、被測定用のドアに本発明の反射板シールテープを貼着することにより、該被測定用のドアに対向して無接触の速度測定用センサを設置することができ、該速度測定用センサにてドアの最高速度の測定や最低速度の測定、ドアの開閉時間の測定が、簡単、且つ、容易に行え、ドアの開閉力のうちの閉じ力や、ドア速度曲線が演算できるドア開閉速度測定装置の反射板シールテープを提供して、エレベータードア等自動開閉扉の保守、点検、調整が、短時間でできるようにしたドア開閉速度測定装置用反射板に関するものである。
【背景技術】
【０００４】
エレベータードア等自動開閉扉は、保守点検時に扉の開閉動作に関する安全性の確認が義務づけられており、その一環としてドアの開閉装置の性能値のうち、ドアの最高速度の測定や最低速度の測定を行い、また、ドアの開閉速度を測定して、ドアの開閉力のうちの閉じ力や、ドア速度曲線が簡単に出力でき、ドアの開閉装置の性能値が設計時の基準範囲内にあるようにドアを調整する必要がある。
【０００５】
従来のエレベータードア等の自動開閉扉は、ドアの開閉用モーターに回転計を直結して設置し、該モーターの回転数をドアの開閉速度に変換して、ドアの最高速度の測定や最低速度の測定、ドアの開閉時間の測定を行っていた。
【０００６】
而して、上記、エレベータードアの自動開閉扉用モーターは、エレベータージャムの化粧カバー内に設置されており、また、自動開閉扉の開閉用モーター、即ち、エンジン装置は、扉上部の無目カバー内に収納されているために、前記ドア開閉用モーターによる回転数の測定作業は、エレベーターにおいては、昇降路側の作業となり、また、自動開閉扉の測定作業は、点検口を介した作業となるので、安全性や作業性の悪い仕事であった。
【発明の開示】
【発明が解決しようとする課題】
【０００７】
本発明が解決しようとする課題は、被測定用のドアに本発明の反射板シールテープを貼着し、該反射板シールテープに対向して無接触で速度測定センサーを設置するに際して、該測定準備のセットが簡単でパルス抜け等の測定誤差をなくしたドア開閉速度測定装置用の反射板シールテープを提供するものである。
【０００８】
また、本発明のドア開閉速度測定装置用反射板を用いた測定作業は、安全性や作業性の高い、扉の外部側、または内部側を任意に選定してに作業が行えるエレベータードア等自動開閉扉の開閉速度測定装置用反射板を提供するものであり、該扉の開閉速度測定装置の測定基準マーカーとなる反射板シールテープは、前記扉の外部側や内部側に簡単に貼着でき、速度測定作業後は、容易に剥離して持ち運びできる反射板シールテープを提供するものである。
【０００９】
また、本発明は、ドアの最高速度の測定や最低速度の測定、ドアの開閉時間の測定が簡単に行え、ドアの開閉力のうちの閉じ力や、ドア速度曲線が出力できるドア開閉速度測定装置用の反射板シールテープを提供して、エレベータードア等自動開閉扉の保守、点検、調整が、短時間でできるようにしたドア開閉速度測定装置を提供するものである。
【課題を解決するための手段】
【００１０】
本発明は、自動開閉扉の開閉方向に沿って水平に反射シールテープを貼着し、該反射シールテープに対向してオプトファイバーセンサを無接触で配置し、該オプトファイバーセンサに内蔵された投光素子からの光を反射シールテープに照射して該反射光を受光素子にて検出し信号として出力し、該信号をセンサ入力部でパルス信号に変換してＰＣカードに入力し、該ＰＣカードを介してＣＳＶ形式でノートパソコンに取り込み、該ＣＳＶのデータによりノートパソコン上で前記自動開閉扉の最高速度、最低速度を数値化して表示したり、自動開閉扉の開閉時間を数値化して表示するエレベータードア等自動開閉扉の開閉速度測定装置において、前記反射シールテープは白黒チャートで表示されたゼブラ模様の反射シールテープとなし、該反射シールテープは微細なガラスビーズが混合された反射板専用インクにて印刷されていることを要旨としている。
【００１１】
また、本発明は、前記反射シールテープ上に連続して表示される白黒のゼブラ模様のうち白側の反射部分を黒側の吸収部分に比較して幅細に形成したことを要旨としている。
【００１２】
また、本発明は、前記反射シールテープ上に連続して表示されるそれぞれの白側の反射部分と黒側の吸収部分の巾の比率が４：６に設定されて形成されていることを要旨としている。
【００１３】
更に、また、本発明において、前記反射シールテープは、可撓性を有する薄厚のプラスチック板に印刷されおり、該反射シールテープは平面形状やアール面形状のドア外部側、またはドア内部側においてマグネットテープや粘着テープを介して前記ドアの移動方向に対して水平に貼着可能となし、また、該反射シールテープは任意に剥離可能に構成された測定基準マーカー用反射板としたことを要旨としている。
【発明の効果】
【００１４】
而して、本発明は、上記、課題の解決手段により、測定準備のセットが簡単なドア開閉速度測定装置用の反射板シールテープを提供することができた。
【００１５】
また、本発明のドア開閉速度測定装置用反射板シールテープを用いた測定作業は、安全性や作業性の高い、扉の外部側、または内部側を任意に選択して測定作業が行えるエレベータードア等自動開閉扉の開閉速度測定装置用反射板を提供することができた。
【００１６】
更にまた、本発明は、ドアの最高速度の測定や最低速度の測定、ドアの開閉時間の測定が簡単に行え、上記測定値から、ドアの開閉力のうちの閉じ力や、ドア速度曲線がＰＣやプリンターで出力できるドア開閉速度測定装置を提供して、エレベータードア等自動開閉扉の保守、点検、調整が、短時間でできるようにしたドア開閉速度測定装置用反射板を提供することができた。
【発明を実施するための最良の形態】
【００１７】
而して、本発明は、自動開閉扉の開閉方向に沿って水平に反射シールテープを貼着し、該反射シールテープに対向してオプトファイバーセンサを無接触で配置し、該オプトファイバーセンサに内蔵された投光素子からの光を反射シールテープに照射して該反射光を受光素子にて検出し信号として出力し、該信号をセンサ入力部でパルス信号に変換してＰＣカードに入力し、該ＰＣカードを介してＣＳＶ形式でノートパソコンに取り込み、該ＣＳＶのデータによりノートパソコン上で前記自動開閉扉の最高速度、最低速度を数値化して表示したり、自動開閉扉の開閉時間を数値化して表示するエレベータードア等自動開閉扉の開閉速度測定装置において、前記反射シールテープは白黒チャートで表示されたゼブラ模様の反射シールテープとなし、該反射シールテープは微細なガラスビーズが混合された反射板専用インクにて印刷されていることが好ましい。
【００１８】
また、本発明は、反射シールテープ上に連続して表示される白黒のゼブラ模様のうち白側の反射部分を黒側の吸収部分に比較して幅細に形成したことが好ましい。
【００１９】
また、本発明は、反射シールテープ上に連続して表示されるそれぞれの白側の反射部分と黒側の吸収部分の巾の比率が４：６に設定されて形成されていることが好ましい。
【００２０】
また、本発明において、反射シールテープは、可撓性を有する薄厚のプラスチック板に印刷されおり、該反射シールテープは平面形状やアール面形状のドア外部側、またはドア内部側においてマグネットテープや粘着テープを介して前記ドアの移動方向に対して水平に貼着可能となし、また、該反射シールテープは任意に剥離可能に構成された測定基準マーカー用反射板としたことが好ましい。
【実施例１】
【００２１】
図１は本発明の反射板シールテープを用いてエレベーター等自動開閉扉の開閉速度測定を行うための各計測器の配置を示す説明図であり、図２は本発明に使用される反射シールテープの形状とオプトファイバーセンサの関係を示す説明図、図３は本発明の反射板シールテープを示す説明図である。
【００２２】
図１において、１a、１ｂはエレベーターの両開き２枚扉の例を示し、該自動開閉扉1a、１ｂは、矢印方向に左右に開閉する。扉１a、１ｂの下方にはマグネットや粘着テープにて本発明の反射シールテープ２が貼着されており、例えば左側に設置された反射シールテープ２には、対向してオプトファイバーセンサ３（光電式回転検出器）が設置されている。
【００２３】
また、図１の４はセンサ用電源のＡＣアダプタ、５はコネクタボックス、６はＰＣカード、７はノートパソコン、８はＰＣ上で動作するマイクロプログラムを導入するためのＣＤ−ＲＯＭ、９はプリンターである。
【００２４】
而して、前記、反射シールテープ２は、図２に示す如く、白色で表示される白部分１０、黒色で表示される黒部分１１からなる連続した白黒チャートで表示されたゼブラ模様の反射シールテープ２で、該反射シールテープ２は微細なガラスビーズが混合された反射板専用インクにて印刷されている。
【００２５】
また、前記反射シールテープ２は、白黒のゼブラ模様のうち白部分１０側の反射部分を黒部分１１側の吸収部分に比較して幅細に形成し、例えばその白黒の比率は、４：６とするとパルス抜けのない白黒チャートが正しくオプトファイバーセンサ３で検出されることが実験で確認できている。
【００２６】
また、前記反射シールテープ２は、可撓性を有する薄厚のプラスチック板に印刷されドアの外部側、またはドアの内部側においてドア移動方向にマグネットテープや粘着テープにて水平に貼着可能となし、また、任意に剥離可能に構成された測定基準マーカー用反射板とした。
【００２７】
従って、反射シールテープ２は、平面形状の扉面のみならず、例えば、円形引き分け扉等のアール形状を有したドアの外部側、またはドアの内部側にも貼着することができ、本発明のドア開閉速度測定装置の利用範囲を拡大することができる。
【００２８】
更にまた、図２において、前記反射シールテープ２に対向して設置され、該反射シールテープ２に無接触で配置されるオプトファイバーセンサ３は、投光素子１２（ＬＥＤ）と受光素子１３（フォトトランジスター）を内蔵し反射シールテープ２からの反射光を受光し、オプトファイバーセンサ３内部で波形整形し、ＴＴＬ信号として出力する。
【００２９】
斯くして、前記、ＴＴＬ信号として出力された信号は、図１に図示されたセンサ入力部のコネクタボックス５に入力されて、パルス信号に変換され、ＰＣカード６に入力される。
【００３０】
また、前記コネクタボックス５からのパルス信号は、ＰＣカード６内で速度としてのデジタルデータに変換され、ノートパソコン７にＣＳＶ形式でとりこみ、該ノートパソコン７には予めＣＤ−ＲＯＭ８にて、データの取得、グラフの作成、評価（速度、開閉時間、扉の閉じ力）に関するアプリケーションがインストールされている。
【００３１】
従って、本発明は、前記ＣＳＶのデータにより、ドアの最高速度、最低速度を測定したり、ドアの開閉時間を測定して、ノートパソコン７上に表示でき、そのデータより演算して、ドアの速度曲線を作図したり、前記自動開閉扉の開閉速度時間曲線データと扉の質量から扉のエネルギー値の変化を算出して該自動開閉扉の開閉力のうち閉じ力をノートパソコン上で表示できる。
【００３２】
尚、図１のプリンター９は、前記測定結果を、測定の条件（日時、場所、社名、部署名、測定者）等と共に印刷するものである。
【００３３】
而して、本発明は、自動開閉扉の開閉方向に沿って水平に反射シールテープ２を貼着し、該反射シールテープ２に対向してオプトファイバーセンサ３を無接触で配置し、該オプトファイバーセンサ３に内蔵された投光素子１２からの光を反射シールテープ２に照射して該反射光を受光素子１３にて検出し信号として出力し、該信号をセンサ入力部でパルス信号に変換してＰＣカード６に入力し、該ＰＣカード６を介してＣＳＶ形式でノートパソコン７に取り込み、該ＣＳＶのデータによりノートパソコン７上で前記自動開閉扉の最高速度、最低速度を数値化して表示したり、自動開閉扉１の開閉時間を数値化して表示するエレベータードア等自動開閉扉の開閉速度測定装置において、前記反射シールテープ２は白黒チャートで表示されたゼブラ模様の反射シールテープ２となし、該反射シールテープ２は微細なガラスビーズが混合された反射板専用インクにて印刷されているものである。
【００３４】
また、本発明は、図３に示す如く、反射シールテープ２上に連続して表示される白黒のゼブラ模様のうち白側の反射部分１０を黒側の吸収部分１１に比較して幅細に形成したものである。
【００３５】
また、本発明は、図３に示す如く、反射シールテープ２上に連続して表示されるそれぞれの白側の反射部分１０の巾Ｗ１と黒側の吸収部分１１の巾Ｗ２の比率が４：６に設定されて形成されているもので、該巾の比率が現況で使用されているオプトファイバーセンサ３に対して対してパルス抜け現象を防止して、性能の良い計測を行える。
【００３６】
更にまた、反射シールテープ２は可撓性を有する薄厚のプラスチック板１４に印刷されおり、該反射シールテープ２は可撓性を有することから平面形状やアール面形状のドア外部側、またはドア内部側においてマグネットテープや粘着テープ（裏面につき図示せず）を介して前記ドアの移動方向に対して水平に貼着可能となし、また、該反射シールテープ２は、上記マグネットテープや粘着テープによる貼着により簡単で自由に剥離可能に構成された測定基準マーカー用反射板とした。
【産業上の利用可能性】
【００３７】
而して、本発明は、測定準備のセットが簡単なドア開閉速度測定装置用の反射板シールテープを提供することができ、また、本発明のドア開閉速度測定装置用反射板シールテープを用いた測定作業は、安全性や作業性の高い、扉の外部側、または内部側を任意に選択して測定作業が行えるエレベータードア等自動開閉扉の開閉速度測定装置用反射板を提供するものである。
【００３８】
従って、本発明は、ドアの最高速度の測定や最低速度の測定、ドアの開閉時間の測定が簡単に行え、上記測定値から、ドアの開閉力のうちの閉じ力や、ドア速度曲線がＰＣやプリンターで出力できるドア開閉速度測定装置の反射板を提供して、エレベータードア等自動開閉扉の保守、点検、調整が、短時間でできるようにしたもので、産業上の利用価値は頗る大きい。
【図面の簡単な説明】
【００３９】
【図１】本発明における自動開閉扉の速度測定用器の配置例示す説明図である。
【図２】本発明に使用される反射シールテープの形状とオプトファイバーセンサ        の関係を示す説明図である。
【図３】本発明の反射シールテープの形状説明図である。
【符号の説明】
【００４０】
１a、１ｂ  自動開閉扉
２  反射シールテープ
３  オプトファイバーセンサ
４  ＡＣアダプタ
５  コネクタボックス
６  ＰＣカード
７  ノートパソコン
８  ＣＤ−ＲＯＭ
９  プリンター
１０  白側の反射部分  
１１  黒側の反射部分
１２  投光素子
１３  受光素子
１４  プラスチック板
Ｗ１  白側の反射部分の巾
Ｗ２  黒側の吸収部分の巾
【図１】
2007132666.tif 000003
【図２】
2007132666.tif 000004
【図３】
2007132666.tif 000005